【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
リニア受信アンテナ（１３）と、フィッシュ（１２）と呼ばれるかさのあるボディに内蔵された、かさのある送信アンテナとを含むソナーを投入および回収する装置であって、前記ソナーは、前記フィッシュ（１２）が吊された曳航ケーブル（１４）を含む曳航線（１１）を用いて、水上艦（１０）によって曳航され、前記リニアアンテナ（１３）は、前記水上艦（１０）に対して前記ケーブル（１４）の後ろに固定され、前記装置は、前記水上艦（１０）に固定されたフレーム（２７）を含み、前記曳航線（１１）をリール（２１）に巻き付け、巻きを解くのを可能にする曳航ウインチ（２０）を含む装置において、前記リール（２１）は、回転軸（ｘ）のまわりに回転可能な２つの部分（２２、２３）と、前記２つの部分（２２、２３）を連結する手段（１０１）とを含み、第１の部分（２２）は、前記曳航線（１１）が巻かれることを意図された円筒形の形態を有し、第２の部分（２３）は、前記フィッシュ（１２）を収容することを意図された第１の当接部（２８）を含むことを特徴とする、ソナーを投入および回収する装置。
【請求項２】
前記リール（２１）の前記第２の部分（２３）を前記フレーム（２７）に対して不動化するのに適した不動化手段（１０４）を含む、請求項１に記載のソナーを投入および回収する装置。
【請求項３】
前記リールの前記第２の部分（２３）は、軸が前記回転軸（ｘ）である、全体的に円筒形の剛性ケーシング（２３ａ）を含み、前記フィッシュ（１２）を少なくとも半径方向に受け入れるのに適したハウジング（３０）の範囲を限定し、前記ケーシングは、前記ケーブルをその外側面（２３ｂ）に巻くことを可能にする、請求項１または２に記載のソナーを投入および回収する装置。
【請求項４】
前記ケーシング（２３ａ）の直径は、前記リールの前記第１の部分（２２）の直径よりも大きい、請求項３に記載のソナーを投入および回収する装置。
【請求項５】
前記リールの前記第２の部分（２３）は、支持手段（３１）と、場合によっては、スライド用手段とを含み、前記曳航ケーブル（１４）は、前記スライド用手段上で滑ることができ、場合によっては案内を受けることができる、請求項１〜４のいずれか１項に記載の投入および回収する装置。
【請求項６】
前記支持手段（３１）は、前記ケーシング（２３ａ）の前記外側面（２３ｂ）に形成された溝（３１）を含む、請求項５に記載の投入および回収する装置。
【請求項７】
前記溝（３１）は、前記曳航ケーブル（１４）が前記ケーシング（２３ａ）の前記外側面（２３ｂ）に突出しない形で、前記曳航ケーブル（１４）を受け入れることができるように構成される、請求項６に記載の投入および回収する装置。
【請求項８】
前記リールの前記第２の部分（２３）は、回収段階では、前記曳航線（１１）がワイヤガイドヘッド（２５）から出たときに、投入段階では、前記曳航線（１１）が前記ワイヤガイドヘッド（２５）に入る前に、前記リールの前記第２の部分（２３）上の、前記回転軸（ｘ）に対して直角をなす平面に沿って、前記曳航線（１１）を案内する第１のガイド手段（３２）を含む、請求項１〜７のいずれか１項に記載のソナーを投入および回収する装置。
【請求項９】
前記曳航線（１１）を案内することを可能にするワイヤガイドヘッド（２５）と、前記ワイヤガイドヘッド（２５）を前記回転軸（ｘ）と平行に移動させることを可能にする、前記ワイヤガイドヘッド（２５）を駆動する手段（１０３）とを含むワイヤガイド手段を含み、前記リールの前記第１の部分（２２）を前記回転軸（ｘ）のまわりに回転させるのに適した、前記リール（２１）を駆動する手段（１００）をさらに含み、前記ワイヤガイドヘッド（２５）を駆動する前記手段および前記リールは、前記ソナーの回収が開始された場合に、前記リールの前記第１の部分（２２）が、前記リールの前記第１の部分の所定の初期位置に対して、前記回転軸（ｘ）のまわりで巻き付け方向に、所定の第１の巻数Ｎ１よりも少ない、リール巻数と呼ばれる巻数を達成するまで、前記曳航ケーブル（１４）を前記リールの第１の部分（２２）に巻くように構成される、請求項１〜８のいずれか１項に記載のソナーを投入および回収する装置。
【請求項１０】
前記曳航線（１１）を案内することを可能にするワイヤガイドヘッド（２５）と、前記ワイヤガイドヘッド（２５）を前記回転軸（ｘ）と平行に移動させることを可能にする、前記ワイヤガイドヘッド（２５）を駆動する手段とを含むワイヤガイド手段を含み、前記リールの前記第１の部分（２２）を前記回転軸（ｘ）のまわりに回転させるのに適した、前記リールを駆動する手段（１００）をさらに含み、前記ワイヤガイドヘッド（２５）を駆動する前記手段（１０３）は、前記ワイヤガイドヘッドを前記ワイヤガイドヘッドの移送位置に固定するように構成され、前記リールを駆動する前記手段（１００）は、前記リールの前記第２の部分（２３）を前記リールの前記第２の部分（２３）の移送位置に配置するように構成され、前記それぞれの位置により、前記ソナーの回収が開始された場合で、前記リール巻数が、少なくとも前記第１の巻数Ｎ１に等しい第３の巻数Ｎ３に等しい場合に、前記フィッシュ（１２）を前記ワイヤガイドヘッド（２５）から前記第１の当接部（２８）に移送するのが可能になる、請求項１〜９のいずれか１項に記載の投入および回収する装置。
【請求項１１】
請求項６または７に従う限りにおいて、前記連結手段（１０１）は、前記リールの前記第１の部分（２２）と前記リールの前記第２の部分（２３）とを連結するように構成され、前記ワイヤガイドヘッド（２５）を駆動する前記手段（１０３）および前記リールは、前記回収段階が開始された場合に、前記リール巻数が、少なくとも前記第１のリール巻数Ｎ１に等しい第２の巻数Ｎ２に等しいリール巻数に達した後で、かつ前記リール巻数が前記第３の巻数Ｎ３に達する前に、前記曳航ケーブル（１４）を前記支持手段（３１）上で前記リールの前記第２の部分のまわりに巻き付けるように構成される、請求項１０に記載のソナーを投入および回収する装置。
【請求項１２】
請求項８に従う場合に、前記ワイヤガイドヘッド（２５）を駆動する前記手段（１０３）および前記リールは、前記リール巻数が前記第３の巻数Ｎ３に達する前に、前記曳航ケーブル（１４）を前記第１のガイド手段によって案内される形で配置するようにさらに構成される、請求項１１に記載のソナーを投入および回収する装置。
【請求項１３】
前記回収段階が開始された場合で、前記リール巻数が前記第３の巻数Ｎ３に達した場合に、前記フィッシュ（１２）が前記第１の当接部（２８）に当接するまで、前記連結手段（１０１）は、前記リールの前記第１の部分（２２）と前記リールの前記第２の部分（２３）とを切り離すように構成され、前記リールを駆動する前記手段は、前記リールの前記第１の部分（２２）を回転駆動して、前記曳航ケーブル（１４）を前記リール（２１）に巻き付けるように構成される、請求項１０〜１２のいずれか１項に記載のソナーを投入および回収する装置。
【請求項１４】
請求項２に従う場合に、前記リールの前記第２の部分を不動化する前記手段（１０４）は、前記リール巻数が前記第３の巻数Ｎ３に達した場合に、前記フィッシュ（１２）が、前記第１の当接部（２８）に当接するまで、前記リールの前記第２の部分（２３）をその移送位置に固定するように構成される、請求項１３に記載のソナーを投入および回収する装置。
【請求項１５】
前記フィッシュ（１２）を前記第１の当接部（２８）に支持された状態に保つのに適したロック手段（２９）と、前記曳航線（１１）を案内することを可能にするワイヤガイドヘッド（２５）および前記ワイヤガイドヘッド（２５）を前記回転軸（ｘ）と平行に移動させることを可能にする、前記ワイヤガイドヘッド（２５）を駆動する手段（１０３）を含むワイヤガイド手段とを含み、前記リールの前記第１の部分を前記回転軸（ｘ）のまわりに回転させるのに適した、前記リールを駆動する手段（１００）をさらに含み、前記回収段階が開始され、前記フィッシュ（１２）が前記第１の当接部（２８）に当接したときに、前記ロック手段（２９）は、前記フィッシュ（１２）を前記第１の当接部（２８）に支持された状態に保つように構成され、前記連結手段（１０１）は、前記リールの前記第１の部分（２２）と前記第２の部分（２３）とを連結するように構成され、前記ワイヤガイドヘッドを駆動する前記手段および前記リールは、前記リールの前記第１の部分（２２）および前記第２の部分（２３）によって形成されたアセンブリに前記曳航線（１１）を巻き付けるように構成される、請求項１〜１４のいずれか１項に記載のソナーを投入および回収する装置。
【請求項１６】
取付手段（１２ａ）が前記ワイヤガイドヘッド（２５）を通過するときに、前記回転軸（ｘ）に対して直角をなす平面に対して固定される前記フィッシュ（１２）の傾きを維持することを可能にする第２のガイド手段（３３）を含む、請求項１〜１５のいずれか１項に記載の装置。
【請求項１７】
前記フィッシュ（１２）を前記回転軸（ｘ）に対して直角をなす所定の方向で前記ハウジング（３０）に案内および保持することを可能にする第３のガイド手段（３４）を含む、請求項１〜１６のいずれか１項に記載の装置。
【請求項１８】
リニア受信アンテナ（１３）、およびフィッシュと呼ばれるボディに内蔵された、かさのある送信アンテナと、前記フィッシュ（１２）が吊された曳航ケーブル（１４）を含む曳航線（１１）とをさらに含み、前記リニアアンテナ（１３）は、前記水上艦（１０）に対して前記ケーブルの後ろで前記曳航ケーブルに固定され、前記曳航ケーブル（１４）は、前記装置に取り付けられる、請求項１〜１７のいずれか１項に記載の展開および投入装置を含む曳航システム。